(57)【要約】【課題】外側容器内に収容された内側容器を密封する包装袋の損傷を防止して、信頼性の向上を図ることができる燻蒸用容器を提供する。【解決手段】包装袋５内に密封された内側容器１を有底筒状の外側容器１０内に収容した状態で、該外側容器１０の開口端１０ｃをこれに着脱可能な蓋体２０により覆う構成の燻蒸用容器Ａにおいて、前記外側容器１０が、略筒状の容器本体１１と、該容器本体１１の内部に配されて前記内側容器１の少なくとも一部を保持する有底略筒状の保持筒１５と、を備え、前記内側容器１に対面する前記保持筒１５の内面の少なくとも一部に、前記内側容器１が前記保持筒１５に衝突する衝突力を吸収する衝撃吸収部１８を形成した構成とする。【選択図】図２
2008296966.tif 000002
【特許請求の範囲】
【請求項１】
包装袋内に密封された内側容器を有底筒状の外側容器内に収容した状態で、該外側容器の開口端をこれに着脱可能な蓋体により覆う構成の燻蒸用容器であって、
前記外側容器が、略筒状の容器本体と、該容器本体の内部に配されて前記内側容器の少なくとも一部を保持する有底略筒状の保持筒と、を備え、
前記内側容器に対面する前記保持筒の内面の少なくとも一部に、前記包装袋内に密封された前記内側容器が前記保持筒に衝突する衝突力を吸収する衝撃吸収部が形成されていることを特徴とする燻蒸用容器。
【請求項２】
前記衝撃吸収部が、前記保持筒の壁部の少なくとも一部を蛇腹状に形成してなることを特徴とする請求項１に記載の燻蒸用容器。
【請求項３】
前記衝撃吸収部が、前記保持筒の内面に設けられて弾性変形可能な弾性突起部からなることを特徴とする請求項１又は請求項２に記載の燻蒸用容器。
【請求項４】
前記保持筒が、その開口端から径方向外方に伸びる略環状の連結板を介して前記容器本体の内周面に接続され、
前記容器本体の外周面が、前記外側容器の底部から開口端側に向かうにしたがって外径が大きくなるテーパ状に形成され、
前記容器本体の内周面のうち少なくとも前記連結板との接続部分から前記外側容器の開口端までの間が、前記外側容器の開口端に向かうにしたがって内径が大きくなるテーパ状に形成されていることを特徴とする請求項１から請求項３のいずれか１項に記載の燻蒸用容器。
【発明の詳細な説明】
【技術分野】
【０００１】
本発明は、燻蒸用容器に関する。
【背景技術】
【０００２】
従来の燻蒸用容器としては、例えば特許文献１のように、内側容器を有底筒状の外側容器内に収容して外側容器の開口端に蓋体を取り付けたものがある。内側容器には、害虫防除用や芳香用等の加熱蒸散薬剤、及び、水と反応して発熱する発熱物質等が収容されている。また、内側容器には、その外側から内側に水を吸収する孔が形成されている。なお、前述の加熱蒸散薬剤は、加熱されることでその有効成分を揮散・蒸散する。すなわち、この燻蒸用容器を使用する際には、外側容器内に内側容器を配置すると共に外側容器の開口端を開放した状態で外側容器内に水を加えることで、加熱された加熱蒸散薬剤が揮散・蒸散することになる。この燻蒸用容器においては、不意に発熱物質が発熱したり、加熱蒸散薬剤が揮散・蒸散することを防止するため、使用前の状態では内側容器が包装袋内に密封されている。
そして、この燻蒸用容器を出荷・運搬する際には、包装袋内に収納された内側容器を外側容器内に収容すると共に蓋体により外側容器の開口端を閉塞している。
【特許文献１】特開平９−１６５３０７号公報
【発明の開示】
【発明が解決しようとする課題】
【０００３】
しかしながら、上記従来の燻蒸用容器においては、内側容器を収容した状態で外側容器に水を入れる隙間が必要となるため、燻蒸用容器を運搬する際には、振動等によって内側容器が外側容器内で移動する。そして、この移動の際に内側容器が外側容器に衝突すると、前述の包装袋がその衝突力によって損傷する、という問題がある。なお、包装袋が損傷すると内側容器が外気に晒されてこれに収容された発熱物質や加熱蒸散薬剤等の機能が低下する虞がある。
【０００４】
本発明は、このような事情に鑑みてなされたものであって、内側容器を密封する包装袋の損傷を抑制することが可能な燻蒸用容器を提供することを目的とする。
【課題を解決するための手段】
【０００５】
この課題を解決するために、本発明の燻蒸用容器は、包装袋内に密封された内側容器を有底筒状の外側容器内に収容した状態で、該外側容器の開口端をこれに着脱可能な蓋体により覆う構成の燻蒸用容器であって、前記外側容器が、略筒状の容器本体と、該容器本体の内部に配されて前記内側容器の少なくとも一部を保持する有底略筒状の保持筒と、を備え、前記内側容器に対面する前記保持筒の内面の少なくとも一部に、前記包装袋内に密封された前記内側容器が前記保持筒に衝突する衝突力を吸収する衝撃吸収部が形成されていることを特徴としている。
【０００６】
この構成の燻蒸用容器によれば、これを運搬する際に振動などによって内側容器が外側容器内で移動して保持部に衝突したとしても、この衝突力は衝撃吸収部において吸収されるため、包装袋が損傷することを防止できる。
【０００７】
なお、前記燻蒸用容器においては、前記衝撃吸収部が前記保持筒の壁部の少なくとも一部を蛇腹状に形成してなる、としてもよい。
また、前記燻蒸用容器においては、前記衝撃吸収部が、前記保持筒の内面に設けられて弾性変形可能な弾性突起部からなる、としてもよい。
これらの場合には、蛇腹状に形成された保持筒の壁部や弾性突起部が前述の衝突に応じて弾性変形することで、内側容器が保持筒に衝突する衝撃力を確実に吸収することができる。
【０００８】
さらに、前記燻蒸用容器においては、前記保持筒が、その開口端から径方向外方に伸びる略環状の連結板を介して前記容器本体の内周面に接続され、前記容器本体の外周面が、前記外側容器の底部から開口端側に向かうにしたがって外径が大きくなるテーパ状に形成され、前記容器本体の内周面のうち少なくとも前記連結板との接続部分から前記外側容器の開口端までの間が、前記外側容器の開口端に向かうにしたがって内径が大きくなるテーパ状に形成される、としてもよい。
【０００９】
この場合には、燻蒸用容器の組み立て時等に、一方の外側容器の開口端から他方の外側容器の底部側を挿入し、これらの外側容器を重ねて配置した場合には、他方の外側容器の底部をなす容器本体の軸方向下端部が一方の外側容器の連結板に当接するため、一方の外側容器を構成する容器本体の内周面と他方の外側容器を構成する容器本体の外周面との間に隙間が形成され、これらが密着することを防止できる。したがって、これらの外側容器を容易に引き離すことが可能となり、燻蒸用容器の組み立て時等において外側容器を容易に取り扱うことができる。
【発明の効果】
【００１０】
本発明によれば、包装袋内に密封された内側容器が外側容器内で移動しても包装袋の損傷を防止できるため、この損傷に基づいて内側容器に収容された発熱物質や加熱蒸散薬剤等が外気に晒され、これらの機能が低下することを防止できる。
【発明を実施するための最良の形態】
【００１１】
以下に、本発明の実施形態について添付した図面を参照して説明する。図１及び図２に本発明の第１実施形態である燻蒸用容器Ａを示す。
この燻蒸用容器Ａは、害虫防除用や芳香用等の加熱蒸散薬剤、及び、水と反応して発熱する発熱物質を収容した内側容器１と、内側容器１の一部を保持する有底筒状の外側容器１０と、外側容器１０の開口端１０ｃを覆う蓋体２０とを備えている。なお、図中に示す符号Ｏは内側容器１、外側容器１０及び蓋体２０の中心軸を示しており、以下、この中心軸Ｏの延在方向（図２における縦方向）を軸方向と呼ぶ。
内側容器１の上部には、加熱蒸散薬剤の有効成分を外方に揮散・蒸散させる複数の孔２，２，・・・が形成されている。また、内側容器１の下部には、水を吸収して発熱物質まで到達させるための孔（不図示）が形成されていたり、多孔質材（不図示）が設けられている。この内側容器１は、燻蒸用容器Ａを使用する前の状態において、包装袋５によって密封されている。なお、この包装袋５は、例えばアルミフィルムを複数積層した積層シートによって形成されている。
【００１２】
外側容器１０は、略筒状に形成されて蓋体２０と共に燻蒸用容器Ａの外装をなす容器本体１１と、容器本体１１の内部に配された有底略筒状の保持筒１５と、を備えている。そして、保持筒１５は、その開口端１５ａから径方向外方に伸びる略環状の連結板１９を介して容器本体１１の内周面１２に接続されている。なお、本実施形態においては、これら容器本体１１、保持筒１５及び連結板１９が、ポリエチレンやポリプロピレン、ポリエチレンテレフタレート等の合成樹脂により一体に形成されている。
【００１３】
外側容器１０の開口端１０ｃをなす容器本体１１の軸方向上端部には、径方向外側に張り出された環状のフランジ部１４が形成されている。そして、容器本体１１の外周面１３は、外側容器１０の底部１０ｄから開口端１０ｃまでの略全体にわたって、底部１０ｄから開口端１０ｃに向かうにしたがって外径が大きくなるテーパ状に形成されている。一方、容器本体１１の内周面１２は、連結板１９との接続部分を境界としてその形状が異なっている。
【００１４】
すなわち、容器本体１１の内周面１２のうち連結板１９との接続部分から外側容器１０の開口端１０ｃまでの間（以下、上側内周面１２ａと呼ぶ。）は、外側容器１０の開口端１０ｃに向かうにしたがって内径が大きくなるテーパ状に形成されている。ここで、上側内周面１２ａをなす容器本体１１の壁部の肉厚は、その全域にわたって一定となっている。すなわち、容器本体１１の上側内周面１２ａは、外周面１３と同じ傾斜角度のテーパ形状に形成されている。
また、容器本体１１の内周面１２のうち連結板１９との接続部分から外側容器１０の底部１０ｄまでの間（以下、下側内周面１２ｂと呼ぶ。）は、その内径寸法が一定となっている。したがって、下側内周面１２ｂをなす容器本体１１の壁部の肉厚は、連結板１９との接続部分から外側容器１０の底部１０ｄに向かうにしたがって薄くなる。
【００１５】
保持筒１５は、円筒状の側壁部１６と、底壁部１７と、からなり、底壁部１７は平板状に形成されている。側壁部１６は、その全体が軸方向に延在して径方向に波打つ蛇腹状に形成されており、平板状の底壁部１７と比較して容易に弾性変形可能となっている。また、側壁部１６の径寸法は、下側内周面１２ｂの内径寸法よりも小さく設定されている。なお、本実施形態において、保持筒１５の開口端１５ａから底壁部１７に至る深さ寸法は、内側容器１の高さ寸法よりも小さく形成されている。このため、保持筒１５内には、内側容器１の底部側の一部（図示例では、内側容器１の約１／３程度）が収容される。
以上のように構成された保持筒１５は、その全体が容器本体１１の内部に配されている。すなわち、保持筒１５の底壁部１７が外側容器１０の底部１０ｄをなす容器本体１１の軸方向下端部よりも軸方向の内側に配されている。
【００１６】
蓋体２０は、外側容器１０の開口端１０ｃに対して着脱可能とされており、出荷時や運搬時等に際して内側容器１が外側容器１０から抜け出ることを防止すると共に、使用時に際して蓋体２０を外側容器１０から容易に取り外すことができる。また、この蓋体２０を外側容器１０に取り付けた状態においては、外側容器１０の開口端１０ｃに取り付けられた蓋体２０と内側容器１の上部との隙間が、保持筒１５の深さ寸法よりも小さく設定されており、出荷時や運搬時において内側容器１が保持筒１５から抜け出ることを防止している。
なお、蓋体２０には外側容器１０の内部空間を外方に連通する孔（不図示）が形成されているが、この孔は例えば内側容器１０を挿通できない程度の大きさに形成されていてもよい。また、上記孔が内側容器を挿通できる程度の大きさに形成されている場合には、例えば上記孔を閉塞するシートやフィルム等を蓋体２０に貼り付けてもよい。この場合、シートやフィルム等は燻蒸用容器Ａの使用時に取り外せばよい。
【００１７】
以上のように構成された燻蒸用容器Ａを運搬する際には、振動等によって内側容器１が外側容器１０に対して移動するため、内側容器１が保持筒１５に衝突することがあるが、蛇腹状に形成された保持筒１５の側壁部１６がこの衝突に応じて弾性変形することで、内側容器１が保持筒１５に衝突する衝突力を吸収することができる。すなわち、本実施形態においては、蛇腹状に形成された保持筒１５の側壁部１６が、内側容器１が保持筒１５に衝突したときに前述した蛇腹の振幅を小さくさせる若しくは反転させるように弾性変形することによって、この衝突力を吸収する衝撃吸収部１８を構成している。
すなわち、上記燻蒸用容器Ａによれば、これを運搬する際に振動等によって衝突しても、その衝突力は蛇腹状の側壁部１６に吸収されるため、この衝突によって内側容器１を密封する包装袋５が損傷することを防止できる。したがって、包装袋５の損傷に基づいて内側容器１に収容された発熱物質や加熱蒸散薬剤等が外気に晒され、これらの機能が低下することを防止して、燻蒸用容器Ａの信頼性向上を図ることができる。
【００１８】
さらに、上記燻蒸用容器Ａによれば、その組み立て時等に、例えば図３に示すように、一方の外側容器１０Ａの開口端１０ｃから他方の外側容器１０Ｂの底部１０ｄ側を挿入して、これらの外側容器１０Ａ，１０Ｂを重ねて配置した場合には、他方の外側容器１０Ｂの底部１０ｄをなす容器本体１１の軸方向下端部が一方の外側容器１０Ａの連結板１９に当接するため、一方の外側容器１０Ａを構成する容器本体１１の内周面１２と他方の外側容器１０Ｂを構成する容器本体１１の外周面１３との間に隙間が形成され、これらが密着することを防止できる。したがって、重ねられた複数の外側容器１０を容易に引き離すことが可能となり、燻蒸用容器Ａの組み立て時等において外側容器１０を容易に取り扱うことができる。
【００１９】
なお、上述した第１実施形態において、保持筒１５の側壁部１６は、保持筒１５の軸方向に沿って延在して径方向に波打つ蛇腹状に形成されるとしたが、これに限ることはなく、少なくとも蛇腹状に形成されていればよく、例えば周方向に延在して径方向に波打つ蛇腹状に形成されるとしてもよい。
また、衝撃吸収部は、保持筒１５の側壁部１６を蛇腹状に形成してなるとしたが、これに限ることはなく、保持筒１５の壁部１６，１７の少なくとも一部を蛇腹状に形成して構成されていればよい。すなわち、例えば図４及び図５に示すように、蛇腹状に形成された保持筒１５の底壁部１７によって衝撃吸収部が構成されるとしてもよい。なお、図４，５中の符号１７１，１７２は、蛇腹状に形成された底壁部１７の山谷を示している。底壁部１７は、図示例のように中心軸Ｏから径方向外方に沿って延在して軸方向に波打つ蛇腹状に形成されるとしてもよいが、例えば底壁部１７の面に沿って一方向に沿って延在して軸方向に波打つ蛇腹状に形成されるとしても構わない。
【００２０】
次に、本発明の第２実施形態である燻蒸用容器Ｂについて説明する。なお、第１実施形態と同一の構成要素には、同一の符号を付して詳細な説明を省略する。
図６及び図７に示すように、第２実施形態の燻蒸用容器Ｂは、第１実施形態の燻蒸用容器Ａと同様に、内側容器１、外側容器５０及び蓋体２０を備えている。また、外側容器５０は、容器本体１１、保持筒５５及び連結板１９を一体に形成して構成されている。なお、図６，７中の符号５０ｃは外側容器５０の開口端を示しており、符号５０ｄは外側容器５０の底部を示している。また、符号５５ａは保持筒５５の開口端を示している。
【００２１】
保持筒５５は、第１実施形態と同様に、円筒状の側壁部５６及び底壁部５７からなる有底筒状に形成されている。そして、底壁部５７の底面（内面）５７ａには、弾性変形可能な弾性突起部５８が複数（図示例では４つ）設けられている。これら複数の弾性突起部５８は、底壁部５７に一体に形成されている。
そして、各弾性突起部５８は、中心軸Ｏを中心とする円弧状に形成されており、周方向に等間隔を介して配置されている。また、各弾性突起部５８は、保持筒５５の底面５７ａから軸方向に突出し、その先端部が径方向内方に湾曲した形状をなしている。これにより、内側容器１が弾性突起部５８の先端部上に配されても、包装袋５と弾性突起部５８との接触面積が大きくなり、弾性突起部５８の形状に基づいて包装袋５が傷つくことを防止できる。なお、弾性突起部５８の先端部は、図示例のように径方向内方に湾曲することに限らず、例えば径方向外方に湾曲していてもよい。
【００２２】
以上のように構成された燻蒸用容器Ｂにおいては、これを運搬する際に内側容器１が保持筒５５に衝突することがあっても、弾性突起部５８がこの衝突に応じて弾性変形することで、内側容器１が保持筒５５に衝突する衝突力を吸収することができる。すなわち、本実施形態においては、弾性突起部５８が、内側容器１が保持筒５５に衝突する衝突力を吸収する衝撃吸収部をなしている。
すなわち、上記燻蒸用容器Ｂによれば、第１実施形態と同様に、上述した衝突によって内側容器１を密封する包装袋５が損傷することを防止できる。したがって、内側容器１に収容された発熱物質や加熱蒸散薬剤等の機能が低下することを防いで、燻蒸用容器Ｂの信頼性向上を図ることができる。
【００２３】
また、複数の外側容器５０を軸方向に重ねても、燻蒸用容器Ｂの組み立て時等において外側容器５０を容易に取り扱うことができる。
さらに、この外側容器５０においては、弾性突起部５８が保持筒５５に一体に形成されているため、外側容器５０の製造工程を簡略化して、燻蒸用容器の製造効率向上を図ることができる。
【００２４】
なお、上述した第２実施形態においては、弾性突起部５８が保持筒５５を構成する底壁部５７の底面に設けられるとしたが、これに限ることはなく、例えば側壁部５６の内周面（内面）５６ａ（図７参照）に設けられるとしても構わない。
また、弾性突起部５８は、保持筒５５に一体に形成されることに限らず、例えば保持筒５５とは別個の部材により形成して保持筒５５の内面５６ａ，５７ａに固定されるとしても構わない。
【００２５】
また、上述した全ての実施形態においては、容器本体１１の上側内周面１２ａがテーパ状に形成されるとしたが、これに限ることはなく、例えば、容器本体１１の下側内周面１２ｂも上側内周面１２ａに連なるテーパ状に形成されるとしてもよい。すなわち、容器本体１１の内周面１２は、例えば外側容器１０，５０の底部１０ｄ，５０ｄから開口端１０ｃ，５０ｃまでの略全体にわたって、開口端１０ｃ，５０ｃに向かうにしたがって内径が大きくなるテーパ状に形成されるとしてもよい。なお、複数の外側容器１０，５０を重ねて配することを考慮しない場合には、例えば容器本体１１の内周面１２及び外周面１３の径寸法を軸方向にわたって一定としても構わない。
【００２６】
また、衝撃吸収部は、保持筒１５の蛇腹状の壁部１６，１７や弾性突起部５８によって構成されることに限らず、少なくとも内側容器１に対面する保持筒１５，５５の内面の一部に形成されていればよい。
さらに、保持筒１５，５５内には内側容器１の一部が収容されるとしたが、これに限ることはなく、例えば内側容器１の全体が収容されるとしても構わない。
【００２７】
また、保持筒１５，５５を構成する側壁部１６，５６の径寸法は、軸方向にわたって一定とされることに限らず、少なくとも容器本体１１の下側内周面１２ｂの内径寸法よりも小さく設定されていればよい。すなわち、側壁部１６，５６は、例えば底壁部１７，５７から保持筒１５，５５の開口端１５ａ，５５ａに向けて径寸法が大きくなるテーパ状に形成されるとしても構わない。この場合には、底壁部１７の径寸法が保持筒１５の開口端１５ａの内径寸法よりも小さくなるため、保持筒１５，５５の少なくとも一部が容器本体１１の内部に配されるように、底壁部１７，５７を容器本体１１の底部１０ｄ，５０ｄから軸方向に突出させても、複数の外側容器１０，５０を軸方向に重ねて配することができる。
【００２８】
以上、本発明の実施形態について図面を参照して詳述したが、本発明の技術範囲はこれに限定されることはなく、本発明の技術的思想を逸脱しない範囲で適宜変更可能である。
【産業上の利用可能性】
【００２９】
外側容器内に収容された内側容器を密封する包装袋の損傷を防止して、信頼性向上を図った燻蒸用容器を提供することができる。
【図面の簡単な説明】
【００３０】
【図１】本発明の第１実施形態である燻蒸用容器を示す上面図である。
【図２】図１のＤ−Ｄ矢視断面図である。
【図３】図１の燻蒸用容器を構成する外側容器を２つ重ねた状態を示す側断面図である。
【図４】本発明の他の実施形態である燻蒸用容器を示す上面図である。
【図５】図４のＥ−Ｅ矢視断面図である。
【図６】本発明の第２実施形態である燻蒸用容器を示す上面図である。
【図７】図６のＦ−Ｆ矢視断面図である。
【符号の説明】
【００３１】
１  内側容器
５  包装袋
１０，５０  外側容器
１０ｃ，５０ｃ  開口端
１０ｄ，５０ｄ  底部
１１  容器本体
１２  内周面
１３  外周面
１５，５５  保持筒
１５ａ，５５ａ  開口端
１６，５６  側壁部
５６ａ  内周面（内面）
１７，５７  底壁部
１８  衝撃吸収部
１９  連結板
２０  蓋体
５７ａ  底面（内面）
５８  弾性突起部（衝撃吸収部）
Ａ，Ｂ  燻蒸用容器
【図１】
2008296966.tif 000003
【図２】
2008296966.tif 000004
【図３】
2008296966.tif 000005
【図４】
2008296966.tif 000006
【図５】
2008296966.tif 000007
【図６】
2008296966.tif 000008
【図７】
2008296966.tif 000009